(57)【要約】【課題】運転モード毎に室内が最適な温度となるように制御する。【解決手段】暖房運転モードでは、循環ファンオンの状態とし、温度センサ２１の検出出力に基づき、例えば上限温度ＴＡでヒータ１０をオフとし、下限温度ＴＢでヒータ１０をオンとし、浴室内の温度がＴＡ〜ＴＢの間にあるように制御する。乾燥運転モードでは、循環ファンオン、換気ファンオンの状態とし、温度センサ２１の検出出力に基づき、例えば上限温度ＴＡ′でヒータ１０をオフとし、下限温度ＴＢ′でヒータ１０をオンとし、浴室内の温度がＴＡ′〜ＴＢ′の間にあるように制御する。例えば、ＴＡ＝４０゜、ＴＢ＝３５゜とし、またＴＡ′＝４０゜、ＴＢ′＝３５゜とする。【選択図】        図５
2007101012.tif 000002
【特許請求の範囲】
【請求項１】
空気を吸い込み室内に吸い込んだ空気を吹き出す送風手段と、
上記送風手段から吹き出される空気を加熱する加熱手段と、
上記室内の温度を検出する温度検出手段と、
運転モードに応じて、上記送風手段および上記加熱手段を制御する制御手段とを備え、
上記制御手段は、
上記加熱手段による加熱を、上記温度検出手段による温度に基づき停止すると共に、所定の条件下で再開させるようにし、該温度を運転モード毎に設定した
ことを特徴とする室空調装置。
【請求項２】
上記所定の条件下は温度検出手段による温度に基づくものであり、該温度を運転モード毎に設定した
ことを特徴とする請求項１に記載の室空調装置。
【請求項３】
上記運転モードとして、少なくとも、室を暖房する暖房運転モードと、室内で被乾燥物を乾燥させる乾燥運転モードがあり、上記乾燥運転モードで設定される上記温度は、上記暖房運転モードで設定される上記温度より高くされる
ことを特徴とする請求項１または請求項２に記載の室空調装置。
【請求項４】
上記所定条件下は、所定時間の経過に伴うものである
ことを特徴とする請求項１に記載の室空調装置。
【請求項５】
上記所定時間は、上記温度検出手段で検出される上記室内の温度の変化情報に基づいて設定される
ことを特徴とする請求項４に記載の室空調装置。
【発明の詳細な説明】
【技術分野】
【０００１】
本発明は、例えば浴室等に設置される室空調装置に関する。
【背景技術】
【０００２】
従来より、浴室に温風を送出して暖房や洗濯物の乾燥を行う機能を備えた浴室用の空調装置が提供されている。浴室空調装置では、電気ヒータを風路中に配置し、ヒータを加熱することで送風を加温して、温風として送出する構成となっている。
【０００３】
このような浴室空調装置では、浴室内の温度を検出し、検出温度が所定温度以上になると、ヒータへの通電を停止し、検出温度が所定温度未満になると、ヒータへの通電を再開する安全装置が備えられている（例えば、特許文献１参照）。
【０００４】
【特許文献１】特開平７−１７１２９９号公報
【発明の開示】
【発明が解決しようとする課題】
【０００５】
従来の浴室空調装置では、暖房運転モードあるいは乾燥運転モードのいずれにあっても、温度制御における、上限温度および下限温度は一定とされる。そのため、例えば上限温度および下限温度が暖房運転モードで入浴者にとって快適な温度に設定されている場合、乾燥運転モードではその温度は低すぎ、乾燥時間が長くなるという問題がある。また例えば、上限温度および下限温度が、乾燥運転モードで乾燥時間が短くなるように高く設定されている場合、暖房運転モードではその温度は高すぎ入浴者に不快さを与えるという問題がある。
【０００６】
この発明の目的は、運転モード毎に室内が最適な温度となるように制御することにある。
【課題を解決するための手段】
【０００７】
この発明に係る室空調装置は、空気を吸い込み室内に吸い込んだ空気を吹き出す送風手段と、この送風手段から吹き出される空気を加熱する加熱手段と、室内の温度を検出する温度検出手段と、運転モードに応じて、送風手段および加熱手段を制御する制御手段とを備え、制御手段は、加熱手段による加熱を、温度検出手段による温度に基づき停止すると共に、所定の条件下で再開させるようにし、この温度を運転モード毎に設定したものである。
【０００８】
この発明において、例えば暖房運転または乾燥運転が行われるとき、送風手段によって、空気が吸い込まれ、その後この吸い込まれた空気は室内に吹き出される。そしてこのとき、室内に吹き出される空気は加熱手段によって加熱され、室内には温風が吹き出される。
【０００９】
加熱手段による加熱は、温度検出手段による温度に基づき停止されると共に、所定の条件下で再開され、この温度は運転モード毎に設定される。例えば、所定の条件下は温度検出手段による温度に基づくものであり、この温度は運転モード毎に設定される。また例えば、所定条件下は、所定時間の経過に伴うものとされる。例えば、運転モードとして、少なくとも、室を暖房する暖房運転モードと、室内で被乾燥物を乾燥させる乾燥運転モードがあり、乾燥運転モードで設定される温度は、暖房運転モードで設定される温度より高くされる。これにより、運転モード毎に室内が最適な温度となるように制御される。
【発明の効果】
【００１０】
この発明によれば、加熱手段による加熱を、温度検出手段による温度に基づき停止すると共に、所定の条件下で再開させるものにあって、温度を運転モード毎に設定したものであり、運転モード毎に室内が最適な温度となるように制御できる。
【発明を実施するための最良の形態】
【００１１】
この発明の実施の形態について説明する。
【００１２】
図１〜図３は、実施の形態としての浴室空調装置１Ａの構成を示している。図１は、浴室空調装置１Ａの内部構成を示す断面図である。図２は、フロントパネルを取り外した状態の浴室空調装置１Ａを下面側から見た平面図である。図３は、浴室空調装置１Ａの分解斜視図である。なお、図１Ａは、浴室空調装置１Ａを図２におけるＡ−Ａ線で切断した断面図、図１Ｂは、浴室空調装置１Ａを図２のＢ−Ｂ線で切断した断面図である。
【００１３】
この浴室空調装置１Ａは、空気を循環させる循環ファン部２と、空気を排気する換気ファン部３を備える。
【００１４】
循環ファン部２は、送風手段を構成し、回転軸の向きを鉛直方向とした多翼の羽根車４と、この羽根車４を回転駆動する循環ファンモータ５と、風路を形成する循環ファンケース６とを備える。
【００１５】
循環ファンケース６には、羽根車４の軸方向に沿った下面に、循環ファン吸込口７としての開口が形成される。また、この循環ファンケース６には、羽根車４の接線方向に沿って吹出風路８が形成されると共に、この吹出風路８と連通した下面に循環ファン吹出口９としての開口が形成される。
【００１６】
換気ファン部３は、回転軸の向きを鉛直方向とした多翼の羽根車１１と、この羽根車１１を回転駆動する換気ファンモータ１２と、風路を形成する換気ファンケース１３とを備える。
【００１７】
換気ファンケース１３には、羽根車１１の軸方向に沿った下面に、換気ファン吸込口１４としての開口が形成される。また、換気ファンケース１３には、羽根車１１の接線方向に沿って排気風路１５が形成されると共に、この排気風路１５と連通した一の側面に排気口１６としての開口が形成される。
【００１８】
また、浴室空調装置１Ａは、循環ファン部２にヒータ１０を備える。このヒータ１０は、加熱手段を構成しており、循環ファン吹出口９の近傍の吹出風路８に配設される。ヒータ１０として、例えば、棒状のヒータ部材に長手方向に沿って多数のフィンが取り付けられた構成の、ＰＴＣ(Positive Temperature Coefficient)ヒータを用いることができる。このヒータ１０は、吹出風路８を通る空気が放熱フィンの間を通過するように、吹出風路８中に取り付けられる。
【００１９】
また、浴室空調装置１Ａは、循環ファン部２と換気ファン部３を収容する本体ケース１７を備える。本体ケース１７は、鉄等の金属部材で構成される。この本体ケース１７には、循環ファン部２の上側に換気ファン部３が重なる形態で、これら循環ファン部２および換気ファン部３が取り付けられる。
【００２０】
また、浴室空調装置１Ａは、排気ダクトジョイント１８ａを備える。この排気ダクトジョイント１８ａは、本体ケース１７の一の側面に、換気ファン部３の排気口１６と連通するように、当該排気口１６に取り付けられる。
【００２１】
また、浴室空調装置１Ａは、副吸収口１７ａと、副吸込ダクトジョイント１８ｂとを備える。副吸収口１７ａは、排気口１６の形成面以外の本体ケース１７の他の側面に形成される。この副吸込口１７ａに、副吸込ダクトジョイント１８ｂが取り付けられる。
【００２２】
また、浴室空調装置１Ａは、副吸込風路１９を備える。この副吸込風路１９は、循環ファン部２の上側に、この循環ファン部２の吹出風路８とは独立して形成される。この副吸込風路１９は、副吸込口１７ａと換気ファン吸込口１４とを連通させる。
【００２３】
また、浴室空調装置１Ａは、換気吸込風路形成部材２０を備える。この換気吸込風路形成部材２０は、換気ファン部３の下側に取り付けられる。この換気吸込風路形成部材２０は、本体ケース１７の下面側に換気吸込口２０ａとしての開口を有すると共に、換気吸込口２０ａと換気ファン吸込口１４を連通させる換気吸込風路２０ｂを有する。
【００２４】
また、浴室空調装置１Ａは、循環ファン吸込口７に、温度検出手段としての温度センサ２１を備える。この温度センサ２１は、循環ファン吸込口７から循環ファン部２に吸い込まれる空気の温度、つまり浴室内の温度を検出する。
【００２５】
また、浴室空調装置１Ａは、本体ケース１７の下面にフロントパネル２２を備える。フロントパネル２２は、本体ケース１７に対して着脱可能に構成される。このフロントパネル２２には、循環ファン部２の循環ファン吸込口７および換気ファン部３と連通した換気吸込口２０ａと対向して吸込口グリル２２ａが形成される。また、フロントパネル２２には、循環ファン部２の循環ファン吹出口９と対向して吹出口グリル２２ｂが形成される。
【００２６】
＜浴室空調装置の設置例＞
図４は、浴室空調装置１Ａが設置された浴室の構成例を示している。浴室空調装置１Ａは、浴室３１の天井に設置される。浴室３１の天井パネルには、浴室空調装置１Ａの本体ケース１７が入る開口部が形成されている。浴室空調装置１Ａは、この開口部に、フロントパネル２２が露出した状態で固定される。
【００２７】
この浴室空調装置１Ａの排気ダクトジョイント１８ａには、排気ダクト３２が接続される。この排気ダクト３２は図示しない建物の外壁３３に取り付けた屋外グリル３４に接続され、浴室空調装置１Ａで浴室３１等から吸い込んだ空気を排気ダクト３２を介して屋外に排気できるようにされる。
【００２８】
また、浴室空調装置１Ａの副吸込ダクトジョイント１８ｂには、副吸込ダクト３５が接続される。この副吸込ダクト３５は例えば洗面所３６に設置された副吸込口３７に接続され、洗面所３６の空気を吸い込みできるようにされる。
【００２９】
浴室空調装置１Ａは、洗濯物等の被乾燥物を乾燥させる機能も備える。浴室３１には、被乾燥物を掛けるランドリパイプ３８が配設されている。ここで、浴室空調装置１Ａの吹出口グリル２２ｂから吹き出される空気が、浴槽３１ａから出て洗い場３１ｂに居る入浴者に直接当たると、この入浴者に寒さを感じさせることがある。このため、吹き出し方向がランドリパイプ３８側に向くように設定される。
【００３０】
浴室３１の入口には浴室ドア３９が備えられる。この浴室ドア３９には空気取入口（ガラリ）３９ａが形成され、隣接した洗面所３６等の空気を浴室３１内に取り込み可能とされている。
【００３１】
＜浴室空調装置の制御機能例＞
図５は、浴室空調装置１Ａの制御系を示している。浴室空調装置１Ａは、ＣＰＵ(Central Processing Unit)を有する制御部５１を備えている。この制御部５１に、操作部５２、循環ファンモータ５、換気ファンモータ１２、ヒータ１０および温度センサ２１が接続されている。
【００３２】
制御部５１は、制御手段を構成しており、図示しないメモリ等に格納されたプログラムに従って、例えば暖房運転モード、換気運転モード、乾燥運転モードおよび涼風運転モードを実行する。運転モードは、入浴者等の利用者が操作部５２を操作することで選択される。制御部５１は、選択された運転モードと、温度センサ２１で検出された浴室２１内の温度とに基づいて、循環ファンモータ５、換気ファンモータ１２およびヒータ１０を制御する。
【００３３】
操作部５２は、浴室空調装置１Ａと独立したリモートコントロール装置で、例えば図４に示すように、浴室３１に隣接した洗面所３６の壁面等に取り付けられ、制御部５１とは例えば電気ケーブルで接続される。
【００３４】
図６は、操作部５２の構成例を示している。操作部５２には、表示部５３と、各種操作ボタン等が配設されている。操作ボタンとして、暖房運転モードを選択する暖房ボタン５４と、乾燥運転モードを選択する乾燥ボタン５５と、換気運転モードを選択する換気ボタン５６と、涼風運転モードを選択する涼風モードボタン５７とがある。なお、選択された運転モードを視認させるため、操作部５２には、各ボタンに対応してＬＥＤ(Light Emitting Diode)等の発光素子５８も配設されている。
【００３５】
＜暖房運転モード、乾燥運転モードの制御動作＞
図７のフローチャートは、暖房運転モードにおける制御部５１の制御動作を示している。
【００３６】
ステップＳＴ１で、暖房ボタン５４が押され、暖房オンとされることで、制御部５１は、暖房運転モードの制御動作を開始する。
【００３７】
次に、ステップＳＴ２で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【００３８】
次に、ステップＳＴ３で、制御部５１は、温度センサ２１の検出出力に基づいて、浴室３１内の温度が上限温度ＴＡ、例えば４０℃に達したか否かを判定する。浴室３１内の温度が上限温度ＴＡに達したとき、ステップＳＴ４で、制御部５１は、ヒータ１０への通電を停止する。これにより、浴室３１内に吹き出される空気の加熱が停止され、浴室３１内の温度は徐々に下降していく。
【００３９】
次に、ステップＳＴ５で、制御部５１は、温度センサ２１の検出出力に基づいて、浴室３１内の温度が下限温度ＴＢ、例えば３５℃に達したか否かを判定する。浴室３１内の温度が下限温度ＴＢに達したとき、ステップＳＴ６で、制御部５１は、ヒータ１０への通電を再開する。これにより、浴室３１内に吹き出される空気の加熱が再開され、浴室３１内の温度は徐々に上昇していく。
【００４０】
このステップＳＴ６の後、ステップＳＴ３に戻り、制御部５１は、以下、上述したと同様の動作を繰り返し行う。
【００４１】
図８は、制御部５１が上述したように制御動作を行った場合における、浴室３１内の温度変化を示している。浴室３１内の温度は、最初の時点ｍ01には環境温度ＴＯにあるが、循環ファンモータ５に通電され、またヒータ１０に通電されて、循環ファンオンおよびヒータオンの状態となると、徐々に上昇し、時点ｍ02には上限温度ＴＡ、例えば４０℃となる。なおこの場合、洗い場の温度Ｔａは例えば３５℃となる。
【００４２】
そして、浴室３１内の温度が上限温度ＴＡに達すると、ヒータ１０の通電が停止されるので、浴室３１内の温度は徐々に下降し、時点ｍ03には下限温度ＴＢ、例えば３５℃となる。なおこの場合、洗い場の温度Ｔｂは例えば３０℃となる。そして、浴室３１内の温度が下限温度ＴＢに達すると、ヒータ１０の通電が再開されるので、浴室３１内の温度は徐々に上昇し、時点ｍ04には上限温度ＴＡとなる。
【００４３】
以下、浴室３１内の温度は、上限温度ＴＡから下限温度ＴＢまで下降すること、および下限温度ＴＢから上限温度ＴＡまで上昇することを交互に繰り返し、上限温度ＴＡと下限温度ＴＢとの間にあるように制御される。
【００４４】
なお、制御部５１は、上述した暖房運転モードの制御動作を、タイマー時間Ｔｓが経過した後に、自動的に停止する。図９は、そのための割り込み制御を示している。
【００４５】
ステップＳＴ１１で、暖房ボタン５４が押され、暖房オンとされることで、制御部５１は、割り込み制御を開始する。そして、ステップＳＴ１２で、制御部５１は、タイマー時間Ｔｓをセットする。この時間Ｔｓは、操作部５２（図６参照）に備えられる図示しない設定キーを用いて、ユーザにより設定可能とされている。
【００４６】
次に、ステップＳＴ１３で、制御部５１は、時間Ｔｓが経過したか否かを判定する。時間Ｔｓが経過したとき、制御部５１は、ステップＳＴ１４で、暖房運転モードの制御動作を停止し、つまり暖房運転を停止させ、その後、ステップＳＴ１５で、割り込み制御の動作を終了する。
【００４７】
暖房運転モードで、制御部５１が、図７のフローチャートに示す制御動作を行うことで、浴室３１内の温度は、上限温度ＴＡと下限温度ＴＢとの間にあるように良好に制御される。
【００４８】
図１０のフローチャートは、乾燥運転モードにおける制御部５１の制御動作を示している。
【００４９】
ステップＳＴ２１で、乾燥ボタン５５が押され、乾燥オンとされることで、制御部５１は、乾燥運転モードの制御動作を開始する。
【００５０】
次に、ステップＳＴ２２で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、ランドリパイプ３８に掛けられた被乾燥物に温風が当たり、その乾燥が行われる。
【００５１】
また、このステップＳＴ２２で、制御部５１は、換気ファンモータ１２に通電する。この場合、換気ファン部３の羽根車１１が回転駆動され、フロントパネル２２の吸込口グリル２２ａから、換気風路形成部材２０によって形成された換気吸込風路２０ｂを介して、換気ファン部３の換気ファン吸込口１４に浴室３１内の空気が吸い込まれる。そして、換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【００５２】
なお、浴室空調装置１Ａで浴室３１の空気が吸い込まれると、浴室ドア３９の空気取入口３９ａから洗面所３６の空気が浴室３１内に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしてもよい。
【００５３】
次に、ステップＳＴ２３で、制御部５１は、温度センサ２１の検出出力に基づいて、浴室３１内の温度が上限温度ＴＡ′、例えば５０℃に達したか否かを判定する。浴室３１内の温度が上限温度ＴＡ′に達したとき、ステップＳＴ２４で、制御部５１は、ヒータ１０への通電を停止する。これにより、浴室３１内に吹き出される空気の加熱が停止され、浴室３１内の温度は徐々に下降していく。
【００５４】
次に、ステップＳＴ２５で、制御部５１は、温度センサ２１の検出出力に基づいて、浴室３１内の温度が下限温度ＴＢ′、例えば４５℃に達したか否かを判定する。浴室３１内の温度が下限温度ＴＢ′に達したとき、ステップＳＴ２６で、制御部５１は、ヒータ１０への通電を再開する。これにより、浴室３１内に吹き出される空気の加熱が再開され、浴室３１内の温度は徐々に上昇していく。
【００５５】
このステップＳＴ２６の後、ステップＳＴ２３に戻り、制御部５１は、以下、上述したと同様の動作を繰り返し行う。
【００５６】
乾燥運転モードで、制御部５１が、図１０のフローチャートに示す制御動作を行うことで、浴室３１内の温度は、上述した暖房運転モードにおける温度変化と同様に（図８参照）、上限温度ＴＡ′と下限温度ＴＢ′との間にあるように良好に制御される。この場合、乾燥運転モードにおける上限温度ＴＡ′および下限温度ＴＢ′は、それぞれ暖房運転モードにおける上限温度ＴＡおよび下限温度ＴＢより高くされているため、被乾燥物の乾燥時間を短縮化できる。なお、暖房運転モードでは、上限温度をＴＡ、下限温度をＴＢに設定されることで、入浴者にとって快適な温度とされる。
【００５７】
なお、詳細説明は省略するが、制御部５１は、上述した乾燥運転モードの制御動作を、暖房運転モードの制御動作と同様に、割り込み制御により、タイマー時間Ｔｓが経過した後に、自動的に停止する。
【００５８】
＜暖房運転モード、乾燥運転モードの他の制御動作＞
図７に示す暖房運転モードの制御動作、および図１０に示す乾燥運転モードの制御動作では、浴室３１内の温度が上限温度ＴＡ，ＴＡ′に達するときヒータ１０による加熱を停止し、浴室３１内の温度が下限温度ＴＢ，ＴＢ′に達するときヒータ１０による加熱を再開するが、ヒータ１０による加熱を停止した後、所定時間経過後にヒータ１０による加熱を再開するようにしてもよい。
【００５９】
図１１のフローチャートは、暖房運転モードにおける制御部５１の他の制御動作を示している。
【００６０】
ステップＳＴ３１で、暖房ボタン５４が押され、暖房オンとされることで、制御部５１は、暖房運転モードの制御動作を開始する。
【００６１】
次に、ステップＳＴ３２で、制御部５１は、温度センサ２１の検出出力に基づいて、浴室３１内の温度を計測する。この場合、浴室３１は暖房される前の状態にあり、ここで計測される浴室３１内の温度は環境温度ＴＯである。
【００６２】
次に、ステップＳＴ３３で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【００６３】
次に、ステップＳＴ３４で、制御部５１は、温度センサ２１の検出出力に基づいて、浴室３１内の温度が上限温度ＴＡ、例えば４０℃に達したか否かを判定する。浴室３１内の温度が上限温度ＴＡに達したとき、ステップＳＴ３５で、制御部５１は、ヒータ１０への通電を停止する。これにより、浴室３１内に吹き出される空気の加熱が停止され、浴室３１内の温度は徐々に下降していく。
【００６４】
次に、ステップＳＴ３６で、制御部５１は、環境温度ＴＯから上限温度ＴＡになるまでの時間ｔ１を算出する。そして、ステップＳＴ３７で、環境温度ＴＯおよび時間ｔ１に基づいて、ヒータ１０への通電を停止する時間（ヒータオフ時間）ｔ２を取得する。この場合、例えば、環境温度ＴＯおよび時間ｔ１の種々の組み合わせに対する、浴室３１内の温度が上限温度ＴＡから下限温度ＴＢに低下するまでの時間が、予め測定あるいは算出されて、ＲＯＭ（テーブル）に記憶されており、このＲＯＭを参照して、時間ｔ２が求められる。この時間ｔ２は、外気温度、浴室断熱性能、浴室サイズ等が考慮されたものとなる。
【００６５】
次に、ステップＳＴ３８で、制御部５１は、ステップＳＴ３５でヒータ１０への通電を停止してから時間ｔ２が経過したか否かを判定する。時間ｔ２が経過したとき、ステップＳＴ３９で、制御部５１は、ヒータ１０への通電を再開する。これにより、浴室３１内に吹き出される空気の加熱が再開され、浴室３１内の温度は徐々に上昇していく。
【００６６】
次に、ステップＳＴ４０で、制御部５１は、温度センサ２１の検出出力に基づいて、浴室３１内の温度が上限温度ＴＡ、例えば４０℃に達したか否かを判定する。浴室３１内の温度が上限温度ＴＡに達したとき、ステップＳＴ４１で、制御部５１は、ヒータ１０への通電を停止する。これにより、浴室３１内に吹き出される空気の加熱が停止され、浴室３１内の温度は徐々に下降していく。
【００６７】
次に、ステップＳＴ４２で、制御部５１は、ステップＳＴ４１でヒータ１０への通電を停止してから時間ｔ２が経過したか否かを判定する。時間ｔ２が経過したとき、ステップＳＴ３９に戻り、制御部５１は、以下、上述したと同様の動作を繰り返し行う。
【００６８】
図１２は、制御部５１が上述したように制御動作を行った場合における、浴室３１内の温度変化を示している。浴室３１内の温度は、最初の時点ｍ11には環境温度ＴＯにあるが、循環ファンモータ５に通電され、またヒータ１０に通電されて、循環ファンオンおよびヒータオンの状態となると、徐々に上昇し、時間ｔ１が経過した時点ｍ12には上限温度ＴＡ、例えば４０℃となる。なおこの場合、洗い場の温度Ｔａは例えば３５℃となる。
【００６９】
そして、浴室３１内の温度が上限温度ＴＡに達すると、ヒータ１０の通電が停止されるので、浴室３１内の温度は徐々に下降する。そして、上述した環境温度ＴＯおよび時間ｔ１に基づいて取得された時間（ヒータオフ時間）ｔ２が経過した時点ｍ13で、下限温度ＴＢ、例えば３５℃となる。なおこの場合、洗い場の温度Ｔｂは例えば３０℃となる。そして、この時点ｍ13で、ヒータ１０の通電が再開され、浴室３１内の温度は徐々に上昇し、時点ｍ14には上限温度ＴＡとなる。
【００７０】
以下、浴室３１内の温度は、上限温度ＴＡから下限温度ＴＢまで下降すること、および下限温度ＴＢから上限温度ＴＡまで上昇することを交互に繰り返し、上限温度ＴＡと下限温度ＴＢとの間にあるように制御される。
【００７１】
なお、制御部５１は、上述した暖房運転モードの制御動作を、割り込み制御により（図９参照）、タイマー時間Ｔｓが経過した後に、自動的に停止する。
【００７２】
暖房運転モードで、制御部５１が、図１１のフローチャートに示す制御動作を行うことで、浴室３１内の温度は、上限温度ＴＡと下限温度ＴＢとの間にあるように良好に制御される。この場合、浴室３１内の温度が上限温度ＴＡに達するときヒータ１０による加熱を停止するものであり、浴室３１内の温度が上限温度ＴＡを越えることを確実に防止できる。
【００７３】
また、ヒータ１０による加熱が停止されて、時間（ヒータオフ時間）ｔ２が経過したときヒータ１０による加熱が再開されるものであり、温度センサ２１で浴室３１内の温度の低下を正しく検出できない場合に、浴室３１内の温度が必要以上に低下することを防止できる。
【００７４】
なお、乾燥運転モードにおける制御部５１の制御動作は、ステップＳＴ３３で循環ファンオンおよびヒータオン、さらに換気ファンオンの状態となる他は、図１１の暖房運転モードの制御動作と同様である。ただし、上限温度はＴＡ′、例えば５０℃とされ、暖房運転モードにおける上限温度ＴＡ、例えば４０℃より高くされ、また、下限温度はＴＢ′、例えば４５℃とされ、暖房運転モードにおける下限温度ＴＢ、例えば３５℃より高くされる。また、制御部５１は、この乾燥運転モードの制御動作も、割り込み制御により（図９参照）、タイマー時間Ｔｓが経過した後に、自動的に停止する。
【００７５】
＜暖房運転モード、乾燥運転モードのさらに他の制御動作＞
図１１に示す暖房運転モードの制御動作では、環境温度ＴＯと、環境温度ＴＯから上限温度ＴＡになるまでの時間ｔ１とに基づいて、ヒータ１０への通電を停止する時間（ヒータオフ時間）ｔ２を取得するものを示したが、所定の温度、例えば下限温度ＴＢから上限温度ＴＡになるまでの時間ｔ３に基づいて、ヒータ１０への通電を停止する時間（ヒータオフ時間）ｔ４を取得するようにしてもよい。
【００７６】
図１３のフローチャートは、暖房運転モードにおける制御部５１のさらに他の制御動作を示している。
【００７７】
ステップＳＴ５１で、暖房ボタン５４が押され、暖房オンとされることで、制御部５１は、暖房運転モードの制御動作を開始する。
【００７８】
次に、ステップＳＴ５２で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【００７９】
次に、ステップＳＴ５３で、制御部５１は、温度センサ２１の検出出力に基づいて、浴室３１内の温度が下限温度ＴＢ、例えば３５℃に達したか否かを判定する。浴室３１内の温度が下限温度ＴＢに達したとき、ステップＳＴ５４で、制御部５１は、温度センサ２１の検出出力に基づいて、浴室３１内の温度が上限温度ＴＡ、例えば４０℃に達したか否かを判定する。
【００８０】
浴室３１内の温度が上限温度ＴＡに達したとき、ステップＳＴ５５で、制御部５１は、ヒータ１０への通電を停止する。これにより、浴室３１内に吹き出される空気の加熱が停止され、浴室３１内の温度は徐々に下降していく。
【００８１】
次に、ステップＳＴ５６で、制御部５１は、下限温度ＴＢから上限温度ＴＡになるまでの時間ｔ３を算出する。そして、ステップＳＴ５７で、制御部５１は、時間ｔ３に基づいて、ヒータ１０への通電を停止する時間（ヒータオフ時間）ｔ４を取得する。この場合、例えば、種々の時間ｔ３に対する、浴室３１内の温度が上限温度ＴＡから下限温度ＴＢに低下するまでの時間が、予め測定あるいは算出されて、ＲＯＭ（テーブル）に記憶されており、このＲＯＭを参照して、時間ｔ４が求められる。
【００８２】
次に、ステップＳＴ５８で、制御部５１は、ステップＳＴ５５でヒータ１０への通電を停止してから時間ｔ４が経過したか否かを判定する。時間ｔ４が経過したとき、ステップＳＴ５９で、制御部５１は、ヒータ１０への通電を再開する。これにより、浴室３１内に吹き出される空気の加熱が再開され、浴室３１内の温度は徐々に上昇していく。
【００８３】
次に、ステップＳＴ６０で、制御部５１は、温度センサ２１の検出出力に基づいて、浴室３１内の温度が上限温度ＴＡ、例えば４０℃に達したか否かを判定する。浴室３１内の温度が上限温度ＴＡに達したとき、ステップＳＴ６１で、制御部５１は、ヒータ１０への通電を停止する。これにより、浴室３１内に吹き出される空気の加熱が停止され、浴室３１内の温度は徐々に下降していく。
【００８４】
次に、ステップＳＴ６２で、制御部５１は、ステップＳＴ６１でヒータ１０への通電を停止してから時間ｔ４が経過したか否かを判定する。時間ｔ４が経過したとき、ステップＳＴ５９に戻り、制御部５１は、以下、上述したと同様の動作を繰り返し行う。
【００８５】
図１４は、制御部５１が上述したように制御動作を行った場合における、浴室３１内の温度変化を示している。浴室３１内の温度は、最初の時点ｍ21には環境温度ＴＯにあるが、循環ファンモータ５に通電され、またヒータ１０に通電されて、循環ファンオンおよびヒータオンの状態となると、徐々に上昇し、時点ｍ22には下限温度ＴＢ、例えば３５℃となる。なおこの場合、洗い場の温度Ｔｂは例えば３０℃となる。また、浴室３１内の温度は、時点ｍ23には上限温度ＴＡ、例えば４０℃となる。なおこの場合、洗い場の温度Ｔａは例えば３５℃となる。
【００８６】
そして、浴室３１内の温度が上限温度ＴＡに達すると、ヒータ１０の通電が停止されるので、浴室３１内の温度は徐々に下降する。そして、浴室３１内の温度は、上述した時間ｔ１に基づいて取得された時間（ヒータオフ時間）ｔ４が経過した時点ｍ24で、下限温度ＴＢ、例えば３５℃となる。そして、この時点ｍ24で、ヒータ１０の通電が再開され、浴室３１内の温度は徐々に上昇し、時点ｍ25には上限温度ＴＡとなる。
【００８７】
以下、浴室３１内の温度は、上限温度ＴＡから下限温度ＴＢまで下降すること、および下限温度ＴＢから上限温度ＴＡまで上昇することを交互に繰り返し、上限温度ＴＡと下限温度ＴＢとの間にあるように制御される。
【００８８】
なお、制御部５１は、上述した暖房運転モードの制御動作を、割り込み制御により（図９参照）、タイマー時間Ｔｓが経過した後に、自動的に停止する。
【００８９】
暖房運転モードで、制御部５１が、図１３のフローチャートに示す制御動作を行うことで、浴室３１内の温度は、上限温度ＴＡと下限温度ＴＢとの間にあるように良好に制御される。この場合、浴室３１内の温度が上限温度ＴＡに達するときヒータ１０による加熱を停止するものであり、浴室３１内の温度が上限温度ＴＡを越えることを確実に防止できる。また、ヒータ１０による加熱を停止した後、所定の時間（ヒータオフ時間）ｔ４が経過したとき、ヒータ１０による加熱を再開するものであり、温度センサ２１で浴室３１内の温度の低下を正しく検出できない場合に、浴室３１内の温度が必要以上に低下することを防止できる。
【００９０】
なお、乾燥運転モードにおける制御部５１の制御動作は、ステップＳＴ５２で循環ファンオンおよびヒータオン、さらに換気ファンオンの状態となる他は、図１３の暖房運転モードの制御動作と同様である。ただし、上限温度はＴＡ′、例えば５０℃とされ、暖房運転モードにおける上限温度ＴＡ、例えば４０℃より高くされ、また、下限温度はＴＢ′、例えば４５℃とされ、暖房運転モードにおける下限温度ＴＢ、例えば３５℃より高くされる。また、制御部５１は、この乾燥運転モードの制御動作も、割り込み制御により（図９参照）、タイマー時間Ｔｓが経過した後に、自動的に停止する。
【００９１】
＜暖房運転モード、乾燥運転モードの別の制御動作＞
図１１、図１３に示す暖房運転モードの制御動作では、ヒータ１０への通電を停止する時間（ヒータオフ時間）ｔ２，ｔ４が、ヒータ１０で加熱が行われるときの浴室３１内の温度の変化情報に基づいて設定されるものであったが、このヒータオフ時間を、ヒータ１０による加熱が停止された後の浴室３１内の温度の変化情報に基づいて設定されるようにしてもよい。
【００９２】
図１５のフローチャートは、暖房運転モードにおける制御部５１の別の制御動作を示している。
【００９３】
ステップＳＴ７１で、暖房ボタン５４が押され、暖房オンとされることで、制御部５１は、暖房運転モードの制御動作を開始する。
【００９４】
次に、ステップＳＴ７２で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【００９５】
次に、ステップＳＴ７３で、制御部５１は、温度センサ２１の検出出力に基づいて、浴室３１内の温度が下限温度ＴＢ、例えば３５℃に達したか否かを判定する。浴室３１内の温度が下限温度ＴＢに達したとき、ステップＳＴ７４で、制御部５１は、温度センサ２１の検出出力に基づいて、浴室３１内の温度が上限温度ＴＡ、例えば４０℃に達したか否かを判定する。
【００９６】
浴室３１内の温度が上限温度ＴＡに達したとき、ステップＳＴ７５で、制御部５１は、ヒータ１０への通電を停止する。これにより、浴室３１内に吹き出される空気の加熱が停止され、浴室３１内の温度は徐々に下降していく。
【００９７】
次に、ステップＳＴ７６で、制御部５１は、下限温度ＴＢから上限温度ＴＡになるまでの時間ｔ３を算出する。そして、ステップＳＴ７７で、制御部５１は、時間ｔ３に基づいて、ヒータ１０への通電を停止する時間ｔ４を取得する。この場合、例えば、種々の時間ｔ３に対する、浴室３１内の温度が上限温度ＴＡから下限温度ＴＢに低下するまでの時間が、予め測定あるいは算出されて、ＲＯＭ（テーブル）に記憶されており、このＲＯＭを参照して、時間ｔ４が求められる。
【００９８】
次に、ステップＳＴ７８で、制御部５１は、温度センサ２１の検出出力に基づいて、浴室３１内の温度がＴＣに達したか否かを判定する。ここで、温度ＴＣは、例えば、下限温度ＴＢと上限温度ＴＡとの中間の温度とされる。つまり、ＴＣ＝ＴＢ＋（ＴＡ−ＴＢ）／２である。浴室３１内の温度がＴＣに達したとき、ステップＳＴ７９で、制御部５１は、上限温度ＴＡから温度ＴＣになるまでの時間の２倍の時間ｔ５を算出する。この時間ｔ５は、浴室３１内の温度が上限温度ＴＡから下限温度ＴＢに低下するまでの時間となる。
【００９９】
なお、温度ＴＣは下限温度ＴＢと上限温度ＴＡとの中間の温度でなくともよい。その場合、温度ＴＣの値に応じて上限温度ＴＡから温度ＴＣになるまでの時間にかける定数を変化させることで、浴室３１内の温度が上限温度ＴＡから下限温度ＴＢに低下するまでの時間ｔ５を得ることができる。
【０１００】
次に、ステップＳＴ８０で、制御部５１は、ステップＳＴ７５でヒータ１０への通電を停止してから時間ｔ４が経過したか否かを判定する。時間ｔ４が経過したとき、ステップＳＴ８１で、制御部５１は、ヒータ１０への通電を再開する。これにより、浴室３１内に吹き出される空気の加熱が再開され、浴室３１内の温度は徐々に上昇していく。
【０１０１】
次に、ステップＳＴ８２で、制御部５１は、温度センサ２１の検出出力に基づいて、浴室３１内の温度が上限温度ＴＡ、例えば４０℃に達したか否かを判定する。浴室３１内の温度が上限温度ＴＡに達したとき、ステップＳＴ８３で、制御部５１は、ヒータ１０への通電を停止する。これにより、浴室３１内に吹き出される空気の加熱が停止され、浴室３１内の温度は徐々に下降していく。
【０１０２】
次に、ステップＳＴ８４で、制御部５１は、ステップＳＴ８３でヒータ１０への通電を停止してから時間ｔ５が経過したか否かを判定する。時間ｔ５が経過したとき、ステップＳＴ８１に戻り、制御部５１は、以下、上述したと同様の動作を繰り返し行う。
【０１０３】
図１６は、制御部５１が上述したように制御動作を行った場合における、浴室３１内の温度変化を示している。浴室３１内の温度は、最初の時点ｍ31には環境温度ＴＯにあるが、循環ファンモータ５に通電され、またヒータ１０に通電されて、循環ファンオンおよびヒータオンの状態となると、徐々に上昇し、時点ｍ32には下限温度ＴＢ、例えば３５℃となる。なおこの場合、洗い場の温度Ｔｂは例えば３０℃となる。また、浴室３１内の温度は、時点ｍ33には上限温度ＴＡ、例えば４０℃となる。なおこの場合、洗い場の温度Ｔａは例えば３５℃となる。
【０１０４】
浴室３１内の温度が上限温度ＴＡに達すると、ヒータ１０の通電が停止されるので、浴室３１内の温度は徐々に下降する。そして、時点ｍ34には浴室３１内の温度がＴＣに達し、上限温度ＴＡから温度ＴＣになるまでの時間ｔ５／２が求められる。そして、上述した時間ｔ３に基づいて取得された時間ｔ４が経過した時点ｍ35で、浴室３１内の温度は、下限温度ＴＢ、例えば３５℃となる。そして、この時点ｍ35で、ヒータ１０の通電が再開され、浴室３１内の温度は徐々に上昇し、時点ｍ36には上限温度ＴＡとなる。
【０１０５】
浴室３１内の温度が上限温度ＴＡに達すると、ヒータ１０の通電が停止されるので、浴室３１内の温度は徐々に下降する。そして、時間ｔ５が経過した時点ｍ37で、ヒータ１０の通電が再開される。
【０１０６】
以下、浴室３１内の温度は、下限温度ＴＢから上限温度ＴＡまで上昇すること、および上限温度ＴＡから下限温度ＴＢまで下降することを交互に繰り返し、上限温度ＴＡと下限温度ＴＢとの間にあるように制御される。
【０１０７】
なお、制御部５１は、上述した暖房運転モードの制御動作を、割り込み制御により（図９参照）、タイマー時間Ｔｓが経過した後に、自動的に停止する。
【０１０８】
暖房運転モードで、制御部５１が、図１５のフローチャートに示す制御動作を行うことで、浴室３１内の温度は、上限温度ＴＡと下限温度ＴＢとの間にあるように良好に制御される。この場合、浴室３１内の温度が上限温度ＴＡに達するときヒータ１０による加熱を停止するものであり、浴室３１内の温度が上限温度ＴＡを越えることを確実に防止できる。
【０１０９】
また、ヒータ１０による加熱を停止した後、所定の時間（ヒータオフ時間）ｔ５が経過したとき、ヒータ１０による加熱を再開するものであり、温度センサ２１で浴室３１内の温度の低下を正しく検出できない場合に、浴室３１内の温度が必要以上に低下することを防止できる。
【０１１０】
また、時間（ヒータオフ時間）ｔ５を、ヒータ１０による加熱が停止された後の浴室３１内の温度の変化情報、すなわち上限温度ＴＡから温度ＴＣになるまでの時間に基づいて求めるものであり、浴室３１内の温度が上限温度ＴＡから下限温度ＴＢに達するように、時間ｔ５を精度よく設定できる。
【０１１１】
なお、乾燥運転モードにおける制御部５１の制御動作は、ステップＳＴ７２で循環ファンオンおよびヒータオン、さらに換気ファンオンの状態となる他は、図１５の暖房運転モードの制御動作と同様である。ただし、上限温度はＴＡ′、例えば５０℃とされ、暖房運転モードにおける上限温度ＴＡ、例えば４０℃より高くされ、また、下限温度はＴＢ′、例えば４５℃とされ、暖房運転モードにおける下限温度ＴＢ、例えば３５℃より高くされる。また、制御部５１は、この乾燥運転モードの制御動作も、割り込み制御により（図９参照）、タイマー時間Ｔｓが経過した後に、自動的に停止する。
【０１１２】
＜暖房運転モード、乾燥運転モードのさらに別の制御動作＞
図１５に示す暖房運転モードの制御動作では、最初に求められた時間（ヒータオフ時間）ｔ５をその後に繰り返し用いるが、このヒータオフ時間が順次更新されるようにしてもよい。
【０１１３】
図１７のフローチャートは、暖房運転モードにおける制御部５１のさらに別の制御動作を示している。
【０１１４】
ステップＳＴ９１で、暖房ボタン５４が押され、暖房オンとされることで、制御部５１は、暖房運転モードの制御動作を開始する。
【０１１５】
次に、ステップＳＴ９２で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【０１１６】
次に、ステップＳＴ９３で、制御部５１は、温度センサ２１の検出出力に基づいて、浴室３１内の温度が下限温度ＴＢ、例えば３５℃に達したか否かを判定する。浴室３１内の温度が下限温度ＴＢに達したとき、ステップＳＴ９４で、制御部５１は、温度センサ２１の検出出力に基づいて、浴室３１内の温度が上限温度ＴＡ、例えば４０℃に達したか否かを判定する。
【０１１７】
浴室３１内の温度が上限温度ＴＡに達したとき、ステップＳＴ９５で、制御部５１は、ヒータ１０への通電を停止する。これにより、浴室３１内に吹き出される空気の加熱が停止され、浴室３１内の温度は徐々に下降していく。
【０１１８】
次に、ステップＳＴ９６で、制御部５１は、下限温度ＴＢから上限温度ＴＡになるまでの時間ｔ３を算出する。そして、ステップＳＴ９７で、制御部５１は、時間ｔ３に基づいて、ヒータ１０への通電を停止する時間ｔ４を取得する。この場合、例えば、種々の時間ｔ３に対する、浴室３１内の温度が上限温度ＴＡから下限温度ＴＢに低下するまでの時間が、予め測定あるいは算出されて、ＲＯＭ（テーブル）に記憶されており、このＲＯＭを参照して、時間ｔ４が求められる。
【０１１９】
次に、ステップＳＴ９８で、制御部５１は、温度センサ２１の検出出力に基づいて、浴室３１内の温度がＴＣに達したか否かを判定する。ここで、温度ＴＣは、例えば、下限温度ＴＢと上限温度ＴＡとの中間の温度とされる。つまり、ＴＣ＝ＴＢ＋（ＴＡ−ＴＢ）／２である。浴室３１内の温度がＴＣに達したとき、ステップＳＴ９９で、制御部５１は、上限温度ＴＡから温度ＴＣになるまでの時間を２倍して時間ｔ(0)を算出する。この時間ｔ(0)は、浴室３１内の温度が上限温度ＴＡから下限温度ＴＢに低下するまでの時間となる。
【０１２０】
なお、温度ＴＣは下限温度ＴＢと上限温度ＴＡとの中間の温度でなくともよい。その場合、温度ＴＣの値に応じて上限温度ＴＡから温度ＴＣになるまでの時間にかける定数を変化させることで、浴室３１内の温度が上限温度ＴＡから下限温度ＴＢに低下するまでの時間ｔ５を得ることができる。
【０１２１】
次に、ステップＳＴ１００で、制御部５１は、ステップＳＴ９５でヒータ１０への通電を停止してから時間ｔ４が経過したか否かを判定する。時間ｔ４が経過したとき、ステップＳＴ１０１で、制御部５１は、ｍ＝０に設定する。そして、ステップＳＴ１０２で、制御部５１は、ヒータ１０への通電を再開する。これにより、浴室３１内に吹き出される空気の加熱が再開され、浴室３１内の温度は徐々に上昇していく。そして、ステップＳＴ１０３で、制御部５１は、ｍをインクリメントする。
【０１２２】
次に、ステップＳＴ１０４で、制御部５１は、温度センサ２１の検出出力に基づいて、浴室３１内の温度が上限温度ＴＡ、例えば４０℃に達したか否かを判定する。浴室３１内の温度が上限温度ＴＡに達したとき、ステップＳＴ１０５で、制御部５１は、ヒータ１０への通電を停止する。これにより、浴室３１内に吹き出される空気の加熱が停止され、浴室３１内の温度は徐々に下降していく。
【０１２３】
次に、ステップＳＴ１０６で、制御部５１は、温度センサ２１の検出出力に基づいて、浴室３１内の温度がＴＣに達したか否かを判定する。浴室３１内の温度が温度ＴＣに達したとき、ステップＳＴ１０７で、制御部５１は、上限温度ＴＡから温度ＴＣになるまでの時間を２倍して時間ｔ(ｍ)を算出する。
【０１２４】
次に、ステップＳＴ１０８で、制御部５１は、時間ｔ(m-1)が経過したか否かを判定する。そして、時間ｔ(m-1)が経過したとき、ステップＳＴ１０２に戻り、制御部５１は、以下上述したと同様の動作を繰り返し行う。
【０１２５】
図１８は、制御部５１が上述したように制御動作を行った場合における、浴室３１内の温度変化を示している。浴室３１内の温度は、最初の時点ｍ41には環境温度ＴＯにあるが、循環ファンモータ５に通電され、またヒータ１０に通電されて、循環ファンオンおよびヒータオンの状態となると、徐々に上昇し、時点ｍ42には下限温度ＴＢ、例えば３５℃となる。なおこの場合、洗い場の温度Ｔｂは例えば３０℃となる。また、浴室３１内の温度は、時点ｍ43には上限温度ＴＡ、例えば４０℃となる。なおこの場合、洗い場の温度Ｔａは例えば３５℃となる。
【０１２６】
浴室３１内の温度が上限温度ＴＡに達すると、ヒータ１０の通電が停止されるので、浴室３１内の温度は徐々に下降する。そして、時点ｍ44には浴室３１内の温度がＴＣに達し、上限温度ＴＡから温度ＴＣになるまでの時間ｔ(0)／２が求められる。そして、上述した時間ｔ３に基づいて取得された時間ｔ４が経過した時点ｍ45で、下限温度ＴＢ、例えば３５℃となる。そして、この時点ｍ35で、ヒータ１０の通電が再開され、浴室３１内の温度は徐々に上昇し、時点ｍ46には上限温度ＴＡとなる。
【０１２７】
浴室３１内の温度が上限温度ＴＡに達すると、ヒータ１０の通電が停止されるので、浴室３１内の温度は徐々に下降する。そして、時点ｍ47には浴室３１内の温度がＴＣに達し、上限温度ＴＡから温度ＴＣになるまでの時間ｔ(1)／２が求められる。そして、時間ｔ(0)が経過した時点ｍ48で、ヒータ１０の通電が再開される。
【０１２８】
以下、浴室３１内の温度は、下限温度ＴＢから上限温度ＴＡまで上昇すること、および上限温度ＴＡから下限温度ＴＢまで下降することを交互に繰り返し、上限温度ＴＡと下限温度ＴＢとの間にあるように制御される。
【０１２９】
なお、制御部５１は、上述した暖房運転モードの制御動作を、割り込み制御により（図９参照）、タイマー時間Ｔｓが経過した後に、自動的に停止する。
【０１３０】
暖房運転モードで、制御部５１が、図１７のフローチャートに示す制御動作を行うことで、浴室３１内の温度は、上限温度ＴＡと下限温度ＴＢとの間にあるように良好に制御される。この場合、浴室３１内の温度が上限温度ＴＡに達するときヒータ１０による加熱を停止するものであり、浴室３１内の温度が上限温度ＴＡを越えることを確実に防止できる。
【０１３１】
また、ヒータ１０による加熱を停止した後、所定の時間（ヒータオフ時間）ｔ(m-1)が経過したとき、ヒータ１０による加熱を再開するものであり、温度センサ２１で浴室３１内の温度の低下を正しく検出できない場合に、浴室３１内の温度が必要以上に低下することを防止できる。
【０１３２】
また、時間（ヒータオフ時間）ｔ(m-1)を、ヒータ１０による加熱が停止された後の浴室３１内の温度の変化情報、すなわち上限温度ＴＡから温度ＴＣになるまでの時間に基づいて求めるものであり、浴室３１内の温度が上限温度ＴＡから下限温度ＴＢに達するように、ヒータオフ時間ｔ(m-1)を精度よく設定できる。
【０１３３】
また、時間（ヒータオフ時間）ｔ(m-1)は、ヒータ１０による加熱が停止される毎に更新されるものであり、環境温度（外気温度）の変化があっても、浴室３１内の温度が上限温度ＴＡから下限温度ＴＢに達するように、ヒータオフ時間ｔ(m-1)を精度よく設定できる。
【０１３４】
なお、乾燥運転モードにおける制御部５１の制御動作は、ステップＳＴ９２で循環ファンオンおよびヒータオン、さらに換気ファンオンの状態となる他は、図１７の暖房運転モードの制御動作と同様である。ただし、上限温度はＴＡ′、例えば５０℃とされ、暖房運転モードにおける上限温度ＴＡ、例えば４０℃より高くされ、また、下限温度はＴＢ′、例えば４５℃とされ、暖房運転モードにおける下限温度ＴＢ、例えば３５℃より高くされる。また、制御部５１は、この乾燥運転モードの制御動作も、割り込み制御により（図９参照）、タイマー時間Ｔｓが経過した後に、自動的に停止する。
【０１３５】
＜暖房運転モード、乾燥運転モードの別の制御動作＞
図７に示す暖房運転モードの制御動作、および図１０に示す乾燥運転モードの制御動作では、浴室３１内の温度が上限温度ＴＡ，ＴＡ′に達するときヒータ１０による加熱を停止し、浴室３１内の温度が下限温度ＴＢ，ＴＢ′に達するときヒータ１０による加熱を再開するが、加熱および停止の双方を時間で制御するようにしてもよい。
【０１３６】
図１９のフローチャートは、暖房運転モードにおける制御部５１の別の制御動作を示している。
【０１３７】
ステップＳＴ１１１で、暖房ボタン５４が押され、暖房オンとされることで、制御部５１は、暖房運転モードの制御動作を開始する。
【０１３８】
次に、ステップＳＴ１１２で、制御部５１は、循環ファンモータ５に通電し、またヒータ１０に通電する。この場合、循環ファン部２の羽根車４が回転駆動され、フロントパネル２２の吸込口グリル２２ａから循環ファン部２の循環ファン吸込口７に浴室３１内の空気が吸い込まれる。そして、循環ファン吸込口７から吸い込まれた空気は、吹出風路８によって循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【０１３９】
次に、ステップＳＴ１１３で、制御部５１は、温度センサ２１の検出出力に基づいて、浴室３１内の温度が下限温度ＴＢ、例えば３５℃に達したか否かを判定する。浴室３１内の温度が下限温度ＴＢに達したとき、ステップＳＴ１１４で、制御部５１は、温度センサ２１の検出出力に基づいて、浴室３１内の温度が上限温度ＴＡ、例えば４０℃に達したか否かを判定する。
【０１４０】
浴室３１内の温度が上限温度ＴＡに達したとき、ステップＳＴ１１５で、制御部５１は、ヒータ１０への通電を停止する。これにより、浴室３１内に吹き出される空気の加熱が停止され、浴室３１内の温度は徐々に下降していく。そして、ステップＳＴ１１６で、制御部５１は、浴室３１内の温度が下限温度ＴＢから上限温度ＴＡになるまでの時間ｔ３を算出する。
【０１４１】
次に、ステップＳＴ１１７で、制御部５１は、温度センサ２１の検出出力に基づいて、浴室３１内の温度が下限温度ＴＢ、例えば３５℃に達したか否かを判定する。浴室３１内の温度が下限温度ＴＢに達したとき、ステップＳＴ１１８で、制御部５１は、ヒータ１０への通電を再開する。そして、ステップＳＴ１１９で、制御部５１は、浴室３１内の温度が上限温度ＴＡから下限温度ＴＢになるまでの時間ｔ６を算出する。
【０１４２】
次に、ステップＳＴ１２０で、制御部５１は、ステップＳＴ１１８でヒータ１０への通電を再開してから時間ｔ３が経過したか否かを判定する。時間ｔ３が経過したとき、ステップＳＴ１２１で、制御部５１は、ヒータ１０への通電を停止する。そして、ステップＳＴ１２２で、制御部５１は、ステップＳＴ１２１でヒータ１０への通電を停止してから時間ｔ６が経過したか否かを判定する。
【０１４３】
時間ｔ６が経過したとき、ステップＳＴ１２３で、制御部５１は、ヒータ１０への通電を再開する。そして、その後、ステップＳＴ１２０に戻り、制御部５１は、以下上述したと同様の動作を繰り返し行う。
【０１４４】
図２０は、制御部５１が上述したように制御動作を行った場合における、浴室３１内の温度変化を示している。浴室３１内の温度は、最初の時点ｍ51には環境温度ＴＯにあるが、循環ファンモータ５に通電され、またヒータ１０に通電されて、循環ファンオンおよびヒータオンの状態となると、徐々に上昇し、時点ｍ52には下限温度ＴＢ、例えば３５℃となる。なおこの場合、洗い場の温度Ｔｂは例えば３０℃となる。また、浴室３１内の温度は、時点ｍ52から時間ｔ３が経過した時点ｍ53には上限温度ＴＡ、例えば４０℃となる。なおこの場合、洗い場の温度Ｔａは例えば３５℃となる。
【０１４５】
浴室３１内の温度が上限温度ＴＡに達すると、ヒータ１０の通電が停止されるので、浴室３１内の温度は徐々に下降する。そして、時点ｍ53から時間ｔ６が経過した時点ｍ54には下限温度ＴＢとなる。
【０１４６】
浴室３１内の温度が下限温度ＴＢに達すると、ヒータ１０の通電が再開されるので、浴室３１内の温度は徐々に上昇する。そして、時点ｍ54から時間ｔ３が経過した時点ｍ55でヒータ１０の通電が停止される。この時点ｍ55では、浴室３１内の温度は上限温度ＴＡとなる。また、この時点ｍ55から時間ｔ６が経過した時点ｍ56でヒータ１０の通電が再開される。この時点ｍ56では、浴室３１の温度は、下限温度ＴＢとなる。
【０１４７】
以下、浴室３１内の温度は、下限温度ＴＢから上限温度ＴＡまで上昇すること、および上限温度ＴＡから下限温度ＴＢまで下降することを交互に繰り返し、上限温度ＴＡと下限温度ＴＢとの間にあるように制御される。
【０１４８】
なお、制御部５１は、上述した暖房運転モードの制御動作を、割り込み制御により（図９参照）、タイマー時間Ｔｓが経過した後に、自動的に停止する。
【０１４９】
暖房運転モードで、制御部５１が、図１９のフローチャートに示す制御動作を行うことで、浴室３１内の温度は、上限温度ＴＡと下限温度ＴＢとの間にあるように良好に制御される。この場合、ヒータ１０に通電される時間ｔ３を、実際にヒータ１０による加熱が行われている状態で浴室３１内の温度が下限温度ＴＢから上限温度ＴＡとなる時間とし、またヒータ１０の通電が停止される時間ｔ６を、実際にヒータ１０による加熱が停止されている状態で浴室３１内の温度が上限温度ＴＡから下限温度ＴＢとなる時間として、ヒータのオンオフが間欠的に行われるものであり、外気温度、浴室断熱性能、浴室サイズによらず、浴室３１内の温度を上限温度ＴＡと下限温度ＴＢとの間にあるように精度よく制御できる。
【０１５０】
なお、乾燥運転モードにおける制御部５１の制御動作は、ステップＳＴ１１２で循環ファンオンおよびヒータオン、さらに換気ファンオンの状態となる他は、図１９の暖房運転モードの制御動作と同様である。ただし、上限温度はＴＡ′、例えば５０℃とされ、暖房運転モードにおける上限温度ＴＡ、例えば４０℃より高くされ、また、下限温度はＴＢ′、例えば４０℃とされ、暖房運転モードにおける下限温度ＴＢ、例えば３５℃より高くされる。また、制御部５１は、この乾燥運転モードの制御動作も、割り込み制御により（図９参照）、タイマー時間Ｔｓが経過した後に、自動的に停止する。
【０１５１】
＜暖房運転モード、乾燥運転モードの別の制御動作＞
図７に示す暖房運転モードの制御動作、および図１０に示す乾燥運転モードの制御動作では、図１１に示す暖房運転モードの制御動作、図１３に示す暖房運転モードの制御動作、図１５に示す暖房運転モードの制御動作、および図１７に示す暖房運転モードの制御動作では、ヒータ１０による加熱を停止した後、温度センサ２１で検出された浴室３１内の温度の変化情報に基づいて設定された所定時間の経過後にヒータ１０による加熱を再開するものを示したが、加熱を停止した後、予め設定された所定時間の経過後にヒータ１０による加熱を再開するようにしてもよい。
【０１５２】
図２１のフローチャートは、暖房運転モードにおける制御部５１の別の制御動作を示している。
【０１５３】
ステップＳＴ１３１で、暖房ボタン５４が押され、暖房オンとされることで、制御部５１は、暖房運転モードの制御動作を開始する。
【０１５４】
次に、ステップＳＴ１３２で、制御部５１は、上述の動作と同様に循環ファンモータ５に通電し、ヒータ１０に通電する。この場合、循環ファン部２の循環ファン吸込口７に浴室３１内の空気が吸い込まれる。そして、循環ファン吸込口７から吸い込まれた空気は、吹出風路８によって、循環ファン吹出口９へと流れる。そして、ヒータ１０が通電されると、吹出風路８を通る空気が加熱され、フロントパネル２２の吹出口グリル２２ｂから浴室３１内に、温風が吹き出される。これにより、浴室３１内の温度は徐々に上昇していく。
【０１５５】
次に、ステップＳＴ１３３で、制御部５１は、温度センサ２１の検出出力に基づいて、浴室３１内の温度が上限温度ＴＡ（例えば、４０℃）に達したか否かを判定する。浴室３１内の温度が上限温度ＴＡに達したとき、ステップＳＴ１３４で、制御部５１は、ヒータ１０への通電を停止する。これにより、浴室３１内に吹き出される空気の加熱が停止され、浴室３１内の温度は徐々に下降していく。
【０１５６】
次に、ステップＳＴ１３５で、制御部５１は、設定された時間ｔ７（例えば、１分）が経過したか否かを判定する。例えば、この所定時間ｔ７は、施工時に施工業者が浴室サイズ等に基づき、操作部５２（図６参照）に設けた図示しないディップスイッチや操作部５２の設定スイッチ等を操作することで、設定される。これにより、この所定時間ｔ７を浴室サイズ等に対応したものとでき、ヒータ１０への通電の停止によって、浴室３１内の温度を上限温度ＴＡから所定温度、例えば下限温度ＴＢまで下降させることができる。
【０１５７】
この時間ｔ７が経過したとき、ステップＳＴ１３６で、制御部５１は、ヒータ１０への通電を再開する。これにより、浴室３１内に吹き出される空気の加熱が再開され、浴室３１内の温度は徐々に上昇していく。このステップＳＴ１３６の後、ステップＳＴ１３３に戻り、制御部５１は、以下上述と同様の動作を繰り返し行う。
【０１５８】
図２２は、制御部５１が上述したように制御動作を行った場合における、浴室３１内の温度変化を示している。浴室３１内の温度は、最初の時点ｍ61には環境温度ＴＯにあるが、循環ファンモータ５に通電され、またヒータ１０に通電されて、循環ファンオンおよびヒータオンの状態となると、徐々に上昇し、時点ｍ62には浴室３１内の温度は上限温度ＴＡ、例えば４０℃となる。なおこの場合、洗い場の温度Ｔａは例えば３５℃となるに達する。
【０１５９】
浴室３１内の温度が上限温度ＴＡに達すると、ヒータ１０の通電が停止されるので、浴室３１内の温度は徐々に下降する。そして、この時点ｍ62から時間ｔ7が経過した時点ｍ63でヒータ１０の通電が再開されるので、浴室３１内の温度は徐々に上昇する。
【０１６０】
以下、浴室３１内の温度は、ヒータ１０の通電停止によって低下した所定温度から上限温度ＴＡまで上昇すること、および上限温度ＴＡからヒータ１０の通電停止によって所定温度まで低下することを交互に繰り返す。
【０１６１】
なお、制御部５１は、上述した暖房運転モードの制御動作を、割り込み制御により（図９参照）、タイマー時間Ｔｓが経過した後に、自動的に停止する。
【０１６２】
暖房運転モードで、制御部５１が、図２１のフローチャートに示す制御動作を行うことで、浴室３１内の温度は、上限温度ＴＡとそれより低い所定温度との間にあるように良好に制御される。
【０１６３】
乾燥運転モードにおける制御部５１の制御動作は、ステップＳＴ１３２で循環ファンオンおよびヒータオン、さらに換気ファンオンの状態となる他は、図２１の暖房運転モードの制御動作と同様である。ただし、上限温度はＴＡ′、例えば５０℃とされ、暖房運転モードにおける上限温度ＴＡ、例えば４０℃より高くされる。また、制御部５１は、この乾燥運転モードの制御動作も、割り込み制御により（図９参照）、タイマー時間Ｔｓが経過した後に、自動的に停止する。
【０１６４】
＜浴室空調装置の他の運転モードの制御動作＞
次に、浴室空調装置１Ａの他の運転モードにおける制御部５１の制御動作を、各図を参照して説明する。
【０１６５】
図６に示す操作部５２で換気ボタン５６が押されると、制御部５１は、換気運転モードが選択されたと判断して、換気ファンモータ１２を駆動する。
【０１６６】
換気ファンモータ１２が駆動されると、換気ファン部３の羽根車１１が回転することで、フロントパネル２２の吸込口グリル２２ａから、換気ファン吸込口１４へ浴室３１内の空気が吸い込まれる。
【０１６７】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【０１６８】
なお、浴室空調装置１Ａで浴室３１の空気が吸い込まれると、浴室ドア３９の空気取入口３９ａから洗面所３６の空気が浴室３１内に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしてもよい。
【０１６９】
これにより、換気運転モードを実行することで、浴室３１内の湯気や湿気を排出して結露等を抑制し、カビの発生を抑えることができる。
【０１７０】
また、図６に示す操作部５２で涼風ボタン５７が押されると、制御部５１は、涼風運転モードが選択されたと判断して、循環ファンモータ５と換気ファンモータ１２を駆動する。なお、涼風運転モードでは、ヒータ１０には通電しない。
【０１７１】
循環ファンモータ５が駆動されると、循環ファン部２の羽根車４が回転することで、フロントパネル２２の吸込口グリル２２ａから、循環ファン吸込口７へ浴室３１内の空気が吸い込まれる。
【０１７２】
循環ファン吸込口７から吸い込まれた空気は、吹出風路８によって循環ファン吹出口９へと流れる。涼風運転モードでは、ヒータ１０に通電されていないので、フロントパネル２２の吹出口グリル２２ｂから、浴室３１内の温度に応じた風（涼風）が吹き出される。
【０１７３】
また、換気ファンモータ１２が駆動されると、換気ファン部３の羽根車１１が回転することで、フロントパネル２２の吸込口グリル２２ａから、換気ファン吸込口１４へ浴室３１内の空気が吸い込まれる。
【０１７４】
換気ファン吸込口１４から吸い込まれた空気は、排気風路１５によって排気口１６へと流れる。そして、排気ダクトジョイント１８ａに接続された排気ダクト３２から、屋外グリル３４を介して屋外へ排気される。
【０１７５】
なお、浴室空調装置１Ａで浴室３１の空気が吸い込まれると、浴室ドア３９の空気取入口３９ａから洗面所３６の空気が浴室３１内に取り込まれる。また、副吸込口３７から副吸込ダクト３５を介して、洗面所３６の空気が換気ファン部３に吸い込まれ、屋外へ排気される。ここで、副吸込ダクトジョイント１８ｂに図示しないダンパを備えて、洗面所３６からの空気の吸い込みを停止できるようにしてもよい。
【０１７６】
これにより、涼風運転モードを実行することで、浴室３１内の空気を換気しながら、浴室３１内に涼風が吹き出され、浴室空調装置１Ａを夏季等に扇風機として使用することができる。
【０１７７】
ここで、涼風運転モードでは、換気ファン部３は駆動せずに、浴室３１内の空気を循環させながら涼風を吹き出すこととしてもよい。
【０１７８】
＜変形例＞
なお、上述実施の形態においては、ヒータ１０への通電の停止を温度センサ２１で検出された室内３１内の温度に基づいて制御しているが、ヒータ１０への通電からその通電を停止するまでの時間を設定された所定時間となるように制御することも考えられる。その場合、所定時間は、施工時に施工業者が浴室サイズ等に基づき、操作部５２（図６参照）に設けた図示しないディップスイッチや操作部５２の設定スイッチ等により設定してもよい。
【０１７９】
また、上述した実施の形態において、図１１、図１３、図１５および図１７に示す暖房運転モードの制御動作では、ヒータオフ時間ｔ２，ｔ４をＲＯＭ（テーブル）を参照して得るものを示したが、近似式により算出するようにしてもよい。
【０１８０】
また、上述した実施の形態においては、温度センサ２１で検出する温度は、ヒータ１０の上流側である浴室３１の空気の吸い込み温度であるが、温度センサ２１で検出する温度は、これに限らず、ヒータ１０の下流側で浴室３１内に吹き出す空気の温度でもよい。
【０１８１】
また、上述実施の形態においては、浴室３１内の温度が上限温度ＴＡに達したときにヒータ１０の通電を停止したが、この温度に基づいていれば、温度に達したときすぐでなく、所定時間が経過した後等で他の要素を踏まえたものであってもよい。また、ヒータの通電が再開する所定時間が経過後とは、所定時間が経過したときすぐでなくともよく、所定時間後であれば、他の要素を踏まえたものであってもよい。
【０１８２】
また、上述実施の形態における浴室空調装置１Ａは、循環ファン部２と換気ファン部３を独立して備えた構成を例に説明したが、単一のファンと、換気と循環で風路を切り替えるダンパを備えた構成の浴室空調装置にも、この発明を適用できる。
【０１８３】
また、上述実施の形態においては、浴室に設置される浴室空調装置１Ａの例を示したが、洗面所、トイレ等の他の室に設置される空調装置にも、この発明を同様に適用できる。
【産業上の利用可能性】
【０１８４】
この発明は、運転モード毎に室内が最適な温度となるように制御できるものであり、浴室等を暖房する機能や洗濯物等の被乾燥物を乾燥させる機能を有する室空調装置に適用できる。
【図面の簡単な説明】
【０１８５】
【図１】実施の形態としての浴室空調装置の内部構成を示す断面図である。
【図２】実施の形態としての浴室空調装置のフロントパネルを取り外した状態で下面側から見た平面図である。
【図３】実施の形態としての浴室空調装置の構成を示す分解斜視図である。
【図４】浴室空調装置が設置された浴室の構成例を示す図である。
【図５】浴室空調装置の制御系を示すブロック図である。
【図６】浴室空調装置の操作部の構成例を示す図である。
【図７】暖房運転モードの制御動作を示すフローチャートである。
【図８】暖房運転モードにおける浴室の温度変化を説明するための図である。
【図９】割り込み制御の制御動作を示すフローチャートである。
【図１０】乾燥運転モードの制御動作を示すフローチャートである。
【図１１】暖房運転モードの他の制御動作を示すフローチャートである。
【図１２】暖房運転モードにおける浴室の温度変化を説明するための図である。
【図１３】暖房運転モードのさらに他の制御動作を示すフローチャートである。
【図１４】暖房運転モードにおける浴室の温度変化を説明するための図である。
【図１５】暖房運転モードの別の制御動作を示すフローチャートである。
【図１６】暖房運転モードにおける浴室の温度変化を説明するための図である。
【図１７】暖房運転モードのさらに別の制御動作を示すフローチャートである。
【図１８】暖房運転モードにおける浴室の温度変化を説明するための図である。
【図１９】暖房運転モードの別の制御動作を示すフローチャートである。
【図２０】暖房運転モードにおける浴室の温度変化を説明するための図である。
【図２１】暖房運転モードの別の制御動作を示すフローチャートである。
【図２２】暖房運転モードにおける浴室の温度変化を説明するための図である。
【符号の説明】
【０１８６】
１Ａ・・・浴室空調装置、２・・・循環ファン部、３・・・換気ファン部、４・・・羽根車、５・・・循環ファンモータ、６・・・循環ファンケース、７・・・循環ファン吸込口、８・・・吹出風路、９・・・循環ファン吹出口、１０・・・ヒータ、１１・・・羽根車、１２・・・換気ファンモータ、１３・・・換気ファンケース、１４・・・換気ファン吸込口、１５・・・排気風路、１６・・・排気口、１７・・・本体ケース、１７ａ・・・副吸込口、１８ａ・・・排気ダクトジョイント、１８ｂ・・・副吸込ダクトジョイント、１９・・・副吸込風路、２０・・・換気風路形成部材、２０ａ・・・換気吸込口、２０ｂ・・・換気吸込風路、２１・・・温度センサ、２２・・・フロントパネル、２２ａ・・・吸込口グリル、２２ｂ・・・吹出口グリル、３１・・・浴室、３２・・・排気ダクト、３４・・・屋外グリル、３５・・・副吸込ダクト、３６・・・洗面所、３７・・・副吸込口、３８・・・ランドリパイプ、３９・・・浴室ドア、５１・・・制御部、５２・・・操作部
【図１】
2007101012.tif 000003
【図２】
2007101012.tif 000004
【図３】
2007101012.tif 000005
【図４】
2007101012.tif 000006
【図５】
2007101012.tif 000007
【図６】
2007101012.tif 000008
【図７】
2007101012.tif 000009
【図８】
2007101012.tif 000010
【図９】
2007101012.tif 000011
【図１０】
2007101012.tif 000012
【図１１】
2007101012.tif 000013
【図１２】
2007101012.tif 000014
【図１３】
2007101012.tif 000015
【図１４】
2007101012.tif 000016
【図１５】
2007101012.tif 000017
【図１６】
2007101012.tif 000018
【図１７】
2007101012.tif 000019
【図１８】
2007101012.tif 000020
【図１９】
2007101012.tif 000021
【図２０】
2007101012.tif 000022
【図２１】
2007101012.tif 000023
【図２２】
2007101012.tif 000024